(57)【特許請求の範囲】
【請求項１】
巻芯部及び前記巻芯部の両端に設けられた鍔部を有するドラムコアと、前記鍔部に設けられた入力端子及び出力端子と、前記入力端子に接続される１次巻線と、前記出力端子に接続される２次巻線とを備えた昇圧トランスであって、
前記１次巻線の径は、前記２次巻線の径よりも大きく、
前記２次巻線の巻数は、前記１次巻線の巻数よりも多く、
前記２次巻線は、前記巻芯部に対して複数層に巻回されていると共に、前記巻芯部への巻き始め部分が上層の前記２次巻線によって覆われ、
前記１次巻線は、前記上層の前記２次巻線の外側に巻回されており、
前記巻芯部の軸線方向において、前記２次巻線が前記巻き始め部分から次に巻き進む方向が、前記２次巻線の巻き始め部分から遠い側の前記鍔部に向かう方向となっている、
昇圧トランス。
【請求項２】
前記１次巻線の巻き始め部分と前記２次巻線の巻き始め部分とが、前記巻芯部の軸方向について異なる位置に位置している請求項１に記載の昇圧トランス。
【請求項３】
前記１次巻線は、各周の巻回部分が互いに接触しないように間隔を空けて巻回されている請求項１又は２に記載の昇圧トランス。
【請求項４】
前記２次巻線の巻き始め部分は、前記巻芯部の中央寄りに位置しており、前記２次巻線の巻き始め部分と前記鍔部との間には、前記２次巻線の中間の巻回部分が位置している請求項１〜３のいずれか１項に記載の昇圧トランス。
【発明の詳細な説明】
【技術分野】
【０００１】
本発明は、昇圧トランスに関する発明である。
【背景技術】
【０００２】
従来、小型の電子機器等に用いるトランスとして、例えば特許文献１に記載のバルントランスが知られている。この従来のトランスは、両端に四角形状の端部つばを有し中央に中央つばを有するドラム型コアに、平板状コアを接合させて構成されている。また、ドラム型コアの端部つばと中央つばとの間に形成された巻線溝（巻芯部）には、二本の巻線（１次巻線及び２次巻線）が、例えば、下層及び上層に分けて一層ずつ巻かれている。
【先行技術文献】
【特許文献】
【０００３】
【特許文献１】特開平１０−３２６７１５号公報
【発明の概要】
【発明が解決しようとする課題】
【０００４】
ところで、上記のような構成に準じた構成のトランスを昇圧トランスとして用い、この昇圧トランスの変圧比を大きくする場合には、１次巻線の巻数に対する２次巻線の巻数の比をなるべく大きくする必要がある。この場合、ドラムコアの巻芯部に２次巻線を往復で多層にして巻回し、その最外層に１次巻線を巻回する方法が考えられる。しかし、この方法では、１次巻線の巻き始め部分と２次巻線の巻き始め部分との位置関係によっては、２次巻線と１次巻線との間の浮遊容量が増大してしまうという問題があった。特に２次巻線の高圧側（２次巻線の巻き始め側）と１次巻線との浮遊容量が増大すると、ＬＣ共振が大きくなってトランスの出力電圧が安定せず、リンギングが発生するおそれがあり、巻芯部への１次巻線及び２次巻線の巻き回し方が重要な課題となっていた。
【０００５】
本発明は、このような課題を解決するために成されたものであり、浮遊容量を低減し、出力電圧を安定させることができる昇圧トランスを提供することを目的とする。
【課題を解決するための手段】
【０００６】
本発明に係る昇圧トランスは、巻芯部及び巻芯部の両端に設けられた鍔部を有するドラムコアと、鍔部に設けられた入力端子及び出力端子と、入力端子に接続される１次巻線と、出力端子に接続される２次巻線とを備えた昇圧トランスであって、１次巻線の径は、２次巻線の径よりも大きく、２次巻線の巻数は、１次巻線の巻数よりも多く、２次巻線は、巻芯部に対して複数層に巻回されていると共に、巻芯部への巻き始め部分が上層の２次巻線によって覆われ、１次巻線は、上層の２次巻線の外側に巻回されていることを特徴としている。
【０００７】
この昇圧トランスでは、２次巻線が巻芯部に対して複数層に巻回されると共に、この２次巻線の巻芯部への巻き始め部分が上層の２次巻線によって覆われ、１次巻線が上層の２次巻線の外側に巻回される。これにより、２次巻線の巻き始め部分と１次巻線の巻き始め部分との間には上層の２次巻線が介在し、２次巻線の巻き始め部分と１次巻線の巻き始め部分との接触を防止できる。したがって、この昇圧トランスでは、２次巻線の巻き始め部分と１次巻線の巻き始め部分との浮遊容量を低減させることができ、出力電圧を安定させることができる。
【０００８】
ここで、１次巻線の巻き始め部分と２次巻線の巻き始め部分とが、巻芯部の軸方向について異なる位置に位置していることが好ましい。こうすると、１次巻線の巻き始め部分と２次巻線の巻き始め部分との接触を一層確実に防止できる。したがって、この昇圧トランスでは、２次巻線の巻き始め部分と１次巻線の巻き始め部分との浮遊容量を低減させることができ、出力電圧を安定させることができる。
【０００９】
また、１次巻線は、各周の巻回部分が互いに接触しないように間隔を空けて巻回されていることが好ましい。こうすると、漏れ磁束を低減することができ、結果としてさらに電圧波形のリンギングを抑えることができる。
【００１０】
また、２次巻線の巻き始め部分は、巻芯部の中央寄りに位置しており、２次巻線の巻き始め部分と鍔部との間には、２次巻線の中間の巻回部分が位置していることが好ましい。こうすると、２次巻線の巻き始め部分が鍔部に隣接して配置されることが防止され、２次巻線の巻き始め部分を２次巻線で覆う際に、２次巻線が鍔部と干渉せず、２次巻線の巻き始め部分を上層の２次巻線によって覆うことが容易となる。したがって、この昇圧トランスでは、２次巻線の巻き始め部分と１次巻線の巻き始め部分との浮遊容量を低減させることができ、出力電圧を安定させることができる。
【発明の効果】
【００１１】
本発明によれば、浮遊容量を低減し、出力電圧を安定させることができる昇圧トランスを提供することができる。
【図面の簡単な説明】
【００１２】
【図１】本発明の第１実施形態に係る昇圧トランスを示す斜視図である。
【図２】図１の正面図である。
【図３】図１の側面図である。
【図４】図１の上面図である。
【図５】図１の底面図である。
【図６】板状コアを外して示す昇圧トランスの正面図である。
【図７】図６の側面図である。
【図８】図６の上面図である。
【図９】図６の底面図である。
【図１０】本実施例に係るドラムコアの回路図である。
【図１１】本実施例に係るドラムコアの１次巻線及び２次巻線の巻回状態を示す断面図である。
【図１２】比較例に係るドラムコアの１次巻線及び２次巻線の巻回状態を示す断面図である。
【図１３】本発明の第２実施形態に係る昇圧トランスの要部を示す断面図である。
【図１４】本発明の第３実施形態に係る昇圧トランスの要部を示す断面図である。
【図１５】本発明の第４実施形態に係る昇圧トランスの要部を示す断面図である。
【図１６】本発明の第５実施形態に係る昇圧トランスの要部を示す断面図である。
【発明を実施するための形態】
【００１３】
以下、図面を参照しつつ本発明の昇圧トランスの好適な実施形態について詳細に説明する。
【００１４】
図１〜図５は、それぞれ本発明の第１実施形態に係る昇圧トランスを示す斜視図、正面図、側面図、上面図及び底面図であり、図６〜図９は、それぞれ板状コアを外して示す昇圧トランスの正面図、側面図、上面図及び底面図である。また、図１０は、本実施例に係るドラムコアの回路図である。
【００１５】
本実施形態に係る昇圧トランス１Ａは、例えば、カメラのストロボ光源の昇圧等に用いるためのものであり、図１〜図５に示すように、ドラムコア２、１次巻線３、２次巻線４、入力端子５Ｕ，５Ｌ、出力端子６Ｕ，６Ｌ及び板状コア７を備えている。昇圧トランス１Ａは、ここでは、長さ（図４において、紙面左右方向）が３．２ｍｍ程度、幅（図４において、紙面上下方向）が２．５ｍｍ程度、高さ（図２において、紙面上下方向）が１．２〜２．４ｍｍ程度となっている。
【００１６】
ドラムコア２は、フェライトからなる部材であり、巻芯部２１及び鍔部２２Ｕ，２２Ｌを有している。巻芯部２１は、例えば略四角柱等をなしている。鍔部２２Ｕ，２２Ｌは、巻芯部２１の両端に設けられており、巻芯部２１よりも断面が大きい略直方体をなしている。
【００１７】
入力端子５Ｕ，５Ｌは、図７〜８に示すように、鍔部２２Ｕ，２２Ｌの上面、側面及び底面に亘って設けられている。出力端子６Ｕ，６Ｌは、入力端子５Ｕ，５Ｌと同様にして、鍔部２２Ｕ，２２Ｌにそれぞれ設けられている。入力端子５Ｕ，５Ｌ及び出力端子６Ｕ，６Ｌは、鍔部２２Ｕ，２２Ｌの上面、側面及び底面に、例えばＡｇ等を主成分とする導電ペーストを転写した後に所定温度（例えば、７００℃程度）にて焼き付け、更に金属めっきを施すことにより形成される。金属めっきには、例えばＳｎ等を用いることができる。なお、入力端子５Ｕ，５Ｌ及び出力端子６Ｕ，６Ｌは、金属製の板材にて構成し、鍔部２２Ｕ，２２Ｌの対応する位置に装着して構成してもよい。金属製の板材には、例えば金属めっき（ＮｉとＳｎ）を施した燐青銅等を用いることができる。
【００１８】
板状コア７は、フェライトからなる略矩形状の部材であり、磁気抵抗を下げて、昇圧トランス１Ａのインダクタンスを向上させるために用いるものである。板状コア７は、ドラムコア２を覆う程度の大きさとなっており、鍔部２２Ｕ，２２Ｌの上面とそれぞれ対向するように配置されている。板状コア７において、入力端子５Ｕ，５Ｌ及び出力端子６Ｕ，６Ｌと対向する部分には、逃げ部７１がそれぞれ設けられている。板状コア７の鍔部２２Ｕの上面と対向する部分であって、逃げ部７１，７１の間の部分には、板状コア７と鍔部２２Ｕとの間に隙間を設けるための突起７２，７２が配置されている。同様にして、板状コア７の鍔部２２Ｕの上面と対向する部分にも、突起７２，７２が設けられている。板状コア７は、突起７２，７２の間に塗布された接着剤によって鍔部２２Ｕ，２２Ｌの上面に固定されている。板状コア７の上面には、昇圧トランス１の基盤への実装の際、その極性方向を識別できるように方向性識別マーク７３が設けられている。
【００１９】
１次巻線３及び２次巻線４は、いずれも、鍔部２２Ｕ側から見て時計回り（右回り）に巻芯部２１に巻回されており、１次巻線３は入力端子５Ｕ，５Ｌに、２次巻線４は出力端子６Ｕ，６Ｌにそれぞれ接続され、図１０に示すように、出力端子６Ｌが接地されている。１次巻線３の径は、２次巻線４の径よりも２〜５倍程度大きく、ここでは、１次巻線３の径は５０〜１００μｍ程度、２次巻線４の径は１０〜４０μｍ程度となっている。２次巻線４の巻数は１次巻線３の巻数よりも多く、本実施形態では、例えば２次巻線４の巻数は１５３程度、１次巻線３の巻数は１５程度となっており、これにより３３Ｖの１次電圧を、３３０Ｖの２次電圧まで昇圧できるようになっている。１次巻線３及び２次巻線４は、互いに電気的に絶縁されており、１次巻線３及び２次巻線４には、例えば絶縁被膜銅線を用いることができる。なお、１次巻線３及び２次巻線４の巻数、１次電圧及び２次電圧は上記値に限定されるものではなく、適宜変更することが可能である。
【００２０】
続いて、巻芯部２１に対する１次巻線３及び２次巻線４の巻回状態について、詳細に説明する。図１１は、本実施例に係るドラムコアの１次巻線及び２次巻線の巻回状態を示す断面図である。図１１に示すように、巻芯部２１に対してまず２次巻線４が巻回され、この２次巻線４の外周に１次巻線３が巻回されている。
【００２１】
２次巻線４は巻芯部２１に対して整列巻されており、その巻芯部２１への巻き始め部分（以下、「スタートワイヤ」という）Ｓ２は、巻芯部２１の中央寄り、より具体的には一方側（図１１において左側）の鍔部２２Ｕと巻芯部２１の中央部との間に位置している。２次巻線４は、スタートワイヤＳ２から他方側の鍔部２２Ｌに向けて第１層が巻回され、鍔部２２Ｌに至る前に鍔部２２Ｕに向けて折り返して第２層が巻回されている。２次巻線４の第２層が鍔部２２Ｕに至る途中で、スタートワイヤＳ２が第２層の２次巻線４によって覆われている。これにより、スタートワイヤＳ２と鍔部２２Ｕとの間には、２次巻線４の中間の巻回部分が位置している。このスタートワイヤＳ２と鍔部２２Ｕとの間に位置する２次巻線４の中間の巻回部分の巻数は、１〜１０巻であることが好ましい。２次巻線４は、鍔部２２Ｕに隣接する位置で鍔部２２Ｌに向けて折り返して第３層が巻回されており、２次巻線４の２層目の巻き始め部分Ｓ３が、３層目の２次巻線４で覆われている。そして、２次巻線４の巻き終わり部分は、鍔部２２Ｌに隣接した位置で巻芯部２１に直接巻回されている。なお、２次巻線４が巻回される層数は３層に限られず、複数層であれば良い。
【００２２】
１次巻線３は、上層の２次巻線４の外側に整列巻されており、その巻き始め部分Ｓ１は、一方側の鍔部２２Ｕに隣接した位置に位置している。１次巻線３は、巻き始め部分Ｓ１から鍔部２２Ｌに隣接した位置まで隙間なく巻回されている。
【００２３】
次に、昇圧トランス１Ａの作用及び効果について説明する。
【００２４】
図１２は、比較例に係るドラムコアの１次巻線及び２次巻線の巻回状態を示す断面図である。比較例に係る昇圧トランス５０では、スタートワイヤＳ２は、鍔部５２Ｕに隣接した位置に配置されている。このように、スタートワイヤＳ２が鍔部５２Ｕに隣接した位置に配置されていると、スタートワイヤＳ２の上層に２次巻線５４を巻回する際に、２次巻線５４が鍔部５２Ｕと干渉して２次巻線５４を巻回し難くなり、図１２に示すように、スタートワイヤＳ２の上層に２次巻線５４が巻回されない非巻回領域５５が生じる場合がある。この非巻回領域５５に１次巻線５３の巻き始め部分Ｓ１が位置し、スタートワイヤＳ２と１次巻線５３の巻き始め部分Ｓ１とが接触すると、２次巻線５４と１次巻線５３との間の浮遊容量が増大してしまう。浮遊容量が増大すると、ＬＣ共振が大きくなってトランスの出力電圧が安定せず、リンギングが発生するおそれがある。
【００２５】
これに対し、昇圧トランス１Ａでは、２次巻線４が、巻芯部２１に対して複数層に巻回されていると共に、この２次巻線４の巻芯部２１への巻き始め部分であるスタートワイヤＳ２が上層の２次巻線４によって覆われており、１次巻線３が上層の２次巻線４の外側に巻回されている。これにより、スタートワイヤＳ２と１次巻線３の巻き始め部分Ｓ１との間には上層の２次巻線４が介在し、スタートワイヤＳ２と１次巻線３の巻き始め部分Ｓ１との接触を防止できる。したがって、この昇圧トランス１Ａでは、スタートワイヤＳ２と１次巻線３の巻き始め部分Ｓ１との浮遊容量を低減させることができ、出力電圧を安定させることができる。
【００２６】
また、昇圧トランス１Ａでは、２次巻線４の２層目の巻き始め部分Ｓ３が、３層目の２次巻線４で覆われている。したがって、２次巻線４の２層目の巻き始め部分Ｓ３と、１次巻線３の巻き終わり部分との接触が防止され、浮遊容量を低減させることができ、出力電圧を安定させることができる。
【００２７】
また、昇圧トランス１Ａでは、２次巻線４の巻き始め部分であるスタートワイヤＳ２は、巻芯部２１の中央寄りに位置しており、スタートワイヤＳ２と鍔部２２Ｕとの間には、２次巻線４の中間の巻回部分が位置している。これにより、スタートワイヤＳ２が鍔部２２Ｕに隣接して配置されることが防止され、スタートワイヤＳ２を２次巻線４で覆う際に、２次巻線４が鍔部２２Ｕと干渉せず、スタートワイヤＳ２を上層の２次巻線４によって覆うことが容易となる。したがって、この昇圧トランス１Ａでは、スタートワイヤＳ２と１次巻線３の巻き始め部分Ｓ１との浮遊容量を低減させることができ、出力電圧を安定させることができる。
【００２８】
次に、本発明の第２実施形態に係る昇圧トランスについて説明する。
【００２９】
図１３は、本発明の第２実施形態に係る昇圧トランスの要部を示す断面図である。この昇圧トランス１Ｂは、図１１に示す第１実施形態に係る昇圧トランス１Ａにおいて、１次巻線３及び２次巻線４の巻回状態を変化させたものである。
【００３０】
昇圧トランス１Ｂでは、スタートワイヤＳ２が鍔部２２Ｕに隣接した位置に位置しており、２次巻線４の各層は一方側の鍔部２２Ｕから他方側の鍔部２２Ｌに至るまで巻回され、２次巻線４の巻き終わり部分が直接巻芯部２１に巻回されていない。
【００３１】
また、昇圧トランス１Ｂでは、１次巻線３の巻数が第１実施形態に係る昇圧トランス１Ａよりも少なく、１次巻線３の巻き始め部分Ｓ１が巻芯部２１の中央寄り、より具体的には鍔部２２Ｕと巻芯部２１の中央部との間に位置している。これにより、１次巻線３の巻き始め部分Ｓ１と２次巻線４の巻き始め部分であるスタートワイヤＳ２とが、巻芯部２１の軸方向について異なる位置に位置している。そして、１次巻線３は、２次巻線４の上層の一部分のみ、具体的には上層の２／３程度のみに巻回されている。１次巻線の巻き始め部分Ｓ１とスタートワイヤＳ２との間隔は、２次巻線の巻数で１巻分以上であることが好ましい。
【００３２】
このような昇圧トランス１Ｂでは、第１実施形態に係る昇圧トランス１Ａと同様に、２次巻線４の巻芯部２１への巻き始め部分であるスタートワイヤＳ２が上層の２次巻線４によって覆われており、１次巻線３が上層の２次巻線４の外側に巻回されている。したがって、この昇圧トランス１Ｂでは、第１実施形態に係る昇圧トランス１Ａと同様に、スタートワイヤＳ２と１次巻線３の巻き始め部分Ｓ１との浮遊容量を低減させることができ、出力電圧を安定させることができる。
【００３３】
また、昇圧トランス１Ｂでは、第１実施形態に係る昇圧トランス１Ａと同様に、２次巻線４の２層目の巻き始め部分Ｓ３が、３層目の２次巻線４で覆われている。したがって、この昇圧トランス１Ｂでは、第１実施形態に係る昇圧トランス１Ａと同様に、浮遊容量を低減させることができ、出力電圧を安定させることができる。
【００３４】
また、昇圧トランス１Ｂでは、１次巻線３の巻き始め部分Ｓ１と２次巻線４の巻き始め部分であるスタートワイヤＳ２とが、巻芯部２１の軸方向について異なる位置に位置している。これにより、１次巻線３の巻き始め部分Ｓ１とスタートワイヤＳ２との接触を確実に防止できる。したがって、この昇圧トランス１Ｂでは、スタートワイヤＳ２と１次巻線３の巻き始め部分Ｓ１との浮遊容量を低減させることができ、出力電圧を安定させることができる。
【００３５】
また、昇圧トランス１Ｂでは、１次巻線３が２次巻線４の上層の一部分のみに巻回されることにより、１次巻線３の巻き始め部分Ｓ１の位置を容易に調節することができ、１次巻線３の巻き始め部分Ｓ１とスタートワイヤＳ２との間隔を容易に調節することができる。したがって、この昇圧トランス１Ｂでは、さらにスタートワイヤＳ２と１次巻線３の巻き始め部分Ｓ１との浮遊容量を低減させることができ、出力電圧を安定させることができる。
【００３６】
次に、本発明の第３実施形態に係る昇圧トランスについて説明する。
【００３７】
図１４は、本発明の第３実施形態に係る昇圧トランスの要部を示す断面図である。この昇圧トランス１Ｃは、図１３に示す第２実施形態に係る昇圧トランス１Ｂにおいて、１次巻線３の巻回状態を変化させたものである。すなわち、昇圧トランス１Ｃでは、１次巻線３の巻き始め部分Ｓ１が一方側の鍔部２２Ｕに隣接した位置に位置しており、１次巻線３は各周の巻回部分が互いに接触しないように略均等な間隔を空けて巻回されている。
【００３８】
このような昇圧トランス１Ｃでは、第１実施形態に係る昇圧トランス１Ａと同様に、２次巻線４の巻芯部２１への巻き始め部分であるスタートワイヤＳ２が上層の２次巻線４によって覆われており、１次巻線３が上層の２次巻線４の外側に巻回されている。したがって、この昇圧トランス１Ｃでは、第１実施形態に係る昇圧トランス１Ａと同様に、スタートワイヤＳ２と１次巻線３の巻き始め部分Ｓ１との浮遊容量を低減させることができ、出力電圧を安定させることができる。
【００３９】
また、昇圧トランス１Ｃでは、第１実施形態に係る昇圧トランス１Ａと同様に、２次巻線４の２層目の巻き始め部分Ｓ３が、３層目の２次巻線４で覆われている。したがって、この昇圧トランス１Ｃでは、第１実施形態に係る昇圧トランス１Ａと同様に、浮遊容量を低減させることができ、出力電圧を安定させることができる。
【００４０】
また、昇圧トランス１Ｃでは、１次巻線３が、２次巻線４全体を覆っているため、漏れ磁束を低減することができ、結果としてさらに電圧波形のリンギングを抑えることができる。
【００４１】
次に、本発明の第４実施形態に係る昇圧トランスについて説明する。
【００４２】
図１５は、本発明の第４実施形態に係る昇圧トランスの要部を示す断面図である。この昇圧トランス１Ｄは、図１４に示す第３実施形態に係る昇圧トランス１Ｃにおいて、２次巻線４の巻回状態を変化させたものである。すなわち、昇圧トランス１Ｄでは、スタートワイヤＳ２が巻芯部２１の中央寄り、より具体的には一方側の鍔部２２Ｕと巻芯部２１の中央部との間に位置しており、スタートワイヤＳ２と鍔部２２Ｕとの間には、２次巻線４の中間の巻回部分が位置している点である。
【００４３】
このような昇圧トランス１Ｄでは、第１実施形態に係る昇圧トランス１Ａと同様に、２次巻線４の巻芯部２１への巻き始め部分であるスタートワイヤＳ２が上層の２次巻線４によって覆われており、１次巻線３が上層の２次巻線４の外側に巻回されている。したがって、この昇圧トランス１Ｄでは、第１実施形態に係る昇圧トランス１Ａと同様に、スタートワイヤＳ２と１次巻線３の巻き始め部分Ｓ１との浮遊容量を低減させることができ、出力電圧を安定させることができる。
【００４４】
また、昇圧トランス１Ｄでは、第１実施形態に係る昇圧トランス１Ａと同様に、２次巻線４の２層目の巻き始め部分Ｓ３が、３層目の２次巻線４で覆われている。したがって、この昇圧トランス１Ｄでは、第１実施形態に係る昇圧トランス１Ａと同様に、浮遊容量を低減させることができ、出力電圧を安定させることができる。
【００４５】
また、昇圧トランス１Ｄでは、第３実施形態に係る昇圧トランス１Ｃと同様に、１次巻線３が、２次巻線４全体を覆っているため、第３実施形態に係る昇圧トランス１Ｃと同様に、さらに電圧波形のリンギングを抑えることができる。
【００４６】
また、昇圧トランス１Ｄでは、第１実施形態に係る昇圧トランス１Ａと同様に、スタートワイヤＳ２を２次巻線４で覆う際に、２次巻線４が鍔部２２Ｕと干渉せず、スタートワイヤＳ２を上層の２次巻線４によって覆うことが容易となる。したがって、この昇圧トランス１Ｄでは、第１実施形態に係る昇圧トランス１Ａと同様に、スタートワイヤＳ２と１次巻線３の巻き始め部分Ｓ１との浮遊容量を低減させることができ、出力電圧を安定させることができる。
【００４７】
次に、本発明の第５実施形態に係る昇圧トランスについて説明する。
【００４８】
図１６は、本発明の第５実施形態に係る昇圧トランスの要部を示す断面図である。この昇圧トランス１Ｅは、図１１に示す第１実施形態に係る昇圧トランス１Ａにおいて、１次巻線３及び２次巻線４の巻回状態を変化させたものである。
【００４９】
昇圧トランス１Ｅでは、スタートワイヤＳ２が鍔部２２Ｕに隣接した位置に位置しており、２次巻線４の各層は一方側の鍔部２２Ｕから他方側の鍔部２２Ｌに至るまで巻回され、２次巻線４の巻き終わり部分が直接巻芯部２１に巻回されていない。また、２次巻線４の巻き終わり部分では、２次巻線４は間隔を空けて巻回されている。そして、２次巻線４の２層目の巻き始め部分Ｓ３の鍔部２２Ｌ寄りの上層に、２次巻線４の巻き終わり部分（２次巻線４の３層目）が配置されている。
【００５０】
また、昇圧トランス１Ｅでは、第１実施形態に係る昇圧トランス１Ａよりも１次巻線３の巻数が少なく、その巻き終わり部分は巻芯部２１の中央部と鍔部２２Ｌとの間に位置している。
【００５１】
このような昇圧トランス１Ｅでは、第１実施形態に係る昇圧トランス１Ａと同様に、２次巻線４の巻芯部２１への巻き始め部分であるスタートワイヤＳ２が上層の２次巻線４によって覆われており、１次巻線３が上層の２次巻線４の外側に巻回されている。したがって、この昇圧トランス１Ｅでは、第１実施形態に係る昇圧トランス１Ａと同様に、スタートワイヤＳ２と１次巻線３の巻き始め部分Ｓ１との浮遊容量を低減させることができ、出力電圧を安定させることができる。
【００５２】
また、昇圧トランス１Ｅでは、２次巻線４の２層目の巻き始め部分Ｓ３の上層に、２次巻線４の巻き終わり部分（２次巻線４の３層目）が配置されている。したがって、２次巻線４の２層目の巻き始め部分Ｓ３と、１次巻線３の巻き終わり部分との接触が防止され、浮遊容量を低減させることができ、出力電圧を安定させることができる。
【００５３】
また、昇圧トランス１Ｅでは、１次巻線３の巻き終わり部分は巻芯部２１の中央部と鍔部２２Ｌとの間に位置し、２次巻線４の２層目の巻き始め部分Ｓ３と、１次巻線３の巻き終わり部分とが、巻芯部２１の軸方向について異なる位置に位置している。このため、２次巻線４の２層目の巻き始め部分Ｓ３と、１次巻線３の巻き終わり部分との接触が確実に防止され、浮遊容量を低減させることができ、出力電圧を安定させることができる。
【００５４】
また、昇圧トランス１Ｅでは、２次巻線４の巻き終わり部分では、２次巻線４は間隔を空けて巻回されている。このため、２次巻線４の３層目において、間隔を空けずに２次巻線４を鍔部２２Ｌに至るまで巻回できない場合に、２次巻線４の２層目の巻き始め部分Ｓ３の上層に、２次巻線４の巻き終わり部分（２次巻線４の３層目）を確実に配置することができる。よって、２次巻線４の２層目の巻き始め部分Ｓ３と、１次巻線３の巻き終わり部分との接触が防止され、浮遊容量を低減させることができ、出力電圧を安定させることができる。
【符号の説明】
【００５５】
１Ａ，１Ｂ，１Ｃ，１Ｄ，５０…昇圧トランス、２，５２…ドラムコア、３，５３…１次巻線、４，５４…２次巻線、５Ｕ，５Ｌ…入力端子、６Ｕ，６Ｌ…出力端子、２１，５１…巻芯部、２２Ｕ，２２Ｌ，５２Ｕ，５２Ｌ…鍔部。
【図１】
0005201199.tif 000002
【図２】
0005201199.tif 000003
【図３】
0005201199.tif 000004
【図４】
0005201199.tif 000005
【図５】
0005201199.tif 000006
【図６】
0005201199.tif 000007
【図７】
0005201199.tif 000008
【図８】
0005201199.tif 000009
【図９】
0005201199.tif 000010
【図１０】
0005201199.tif 000011
【図１１】
0005201199.tif 000012
【図１２】
0005201199.tif 000013
【図１３】
0005201199.tif 000014
【図１４】
0005201199.tif 000015
【図１５】
0005201199.tif 000016
【図１６】
0005201199.tif 000017